(57)【要約】  【課題】聴覚表示機能を備えた制水弁を提供する。  【解決手段】ベース部１０と、ベース部の上に取り付けられたセラミックバルブと、セラミックバルブに取り付けられた操作機構と、ベース部に取り付けられ、セラミックバルブと操作機構を覆うケーシング４０と、操作機構に係着していて、ケーシングの外部に装着された発音体リード５０と、を含む。給水温度を調節するために、セラミックバルブの操作機構を旋回操作したとき、発音体リードが同期してケーシングに対して旋回され、ケーシングと互いに作用して、あらかじめ設定された給水状態に到達すると、音声を出して使用者に知らせる目的が達成される。  【選択図】  図２
0003216595.tif 000002
【実用新案登録請求の範囲】
【請求項１】
聴覚表示機能を備えた制水弁であって、
ベース部１０と、前記ベース部１０上に取り付けられたセラミックバルブ２０と、前記セラミックバルブ２０上に取り付けられた操作機構３０と、前記ベース部１０上に取り付けられたケーシング４０と、金属プレートから作製された発音体５０とを含み、
前記セラミックバルブ２０と、前記操作機構３０とを包覆する前記ケーシング４０は、中空の構造体であり、かつ、前記ベース部１０と反対側の一端から軸方向にブッシング４１が同心状に延設され、前記ブッシング４１の直径が前記ケーシング４０の直径よりも小さく、前記ブッシング４１の外壁上に少なくとも１つの凹み溝４２が形成され、かつ、前記少なくとも１つの凹み溝４２の底面にはその中心線に沿って少なくとも１つの突起リブ４３が設けられ、前記少なくとも１つの突起リブ４３が前記ケーシング４０に対して縦方向に設けられ、
前記発音体５０は、前記ケーシング４０の外部に装着されると共に、前記操作機構３０に係着され、前記操作機構３０と同期して前記ケーシング４０に対して相対旋回運動可能に構成され、前記発音体５０に引き棒３２を前記発音体５０に貫通させるための通り孔５１が形成され、前記発音体５０に少なくとも１つの弧状の舌片５２が垂設され、当該舌片５２の曲率が前記ブッシング４１の曲率に等しく、前記少なくとも１つの舌片５２の前記ブッシング４１に対応する内面に少なくとも１つの突起部５３が設けられ、前記少なくとも１つの突起部５３が前記少なくとも１つの凹み溝４２内に収容され、当該突起部５３が前記発音体５０の旋回動作によって前記少なくとも１つの突起リブ４３を超える瞬間に、当該舌片５２にクリック音を発生させ、使用者に音によって水温調節状態を知らせることを特徴とする、聴覚表示機能を備えた制水弁。
【請求項２】
前記ブッシング４１の上部外縁に環状の誘導斜面４４が形成されていることを特徴とする、請求項１記載の聴覚表示機能を備えた制水弁。
【請求項３】
前記誘導斜面４４上に、前記少なくとも１つの凹み溝４２に対応する少なくとも１つの誘導溝４５が形成されていることを特徴とする、請求項２記載の聴覚表示機能を備えた制水弁。
【請求項４】
前記少なくとも１つの突起部５３の自由端から前記ケーシング４０の軸線までの径方向距離が、前記少なくとも１つの凹み溝４２の底面から前記ケーシング４０の軸線までの径方向距離よりも大きく、かつ、前記少なくとも１つの突起部５３の自由端から前記ケーシング４０の軸線までの径方向距離が、前記ブッシング４１の半径よりも小さいことを特徴とする、請求項１ないし３のいずれか１項記載の聴覚表示機能を備えた制水弁。
【考案の詳細な説明】
【技術分野】
【０００１】
本考案は制水弁に関し、新しい構造の聴覚表示機能を備えた制水弁に関する。
【背景技術】
【０００２】
現在市販の冷熱両用水栓は一般的に、熱湯ルートと冷水ルートに分かれている。しかし、現時点において、冷熱両用水栓による冷水・熱湯の切り替えは、なお操作時の手加減による感触方式にとどまる。
【考案の概要】
【考案が解決しようとする課題】
【０００３】
手加減感触による切り替え方式は、はっきりした感触が得られないことから、冷熱両用水栓の手加減感触方式には、改善の余地が残されている。
【０００４】
本考案の主な目的は、一種の制水弁を提供することである。解決しようとする技術課題は、より理想的、より実用的な、音声で知らせることができる機能を織り込む目標に向けて、改良及び突破を図りたい。
【課題を解決するための手段】
【０００５】
本考案で課題を解決するための主な技術特徴によれば、聴覚表示機能を備えた制水弁は、ベース部と、ベース部に取り付けられたセラミックバルブと、セラミックバルブに取り付けられた操作機構と、セラミックバルブと操作機構を覆って、ベース部に取り付けられたケーシングと、発音体リードとを含む。
【０００６】
ケーシングは中空状の構造体を形成していて、ベース部の反対側は、軸方向の同心位置にブッシングが設けられ、ブッシングの直径がケーシングの直径より小さく設けられ、ブッシングの外壁に少なくとも１つの凹み溝が形成されていて、かつ、少なくとも１つの凹み溝の底面は中心線に沿って、少なくとも１つの突起リブが設けられている。そのうち、少なくとも１つの突起リブがケーシングの縦方向に設けられている。金属プレートから仕上げられた発音体リードがケーシングの外部に装着され、かつ、操作機構に係着され、操作機構に同期して、ケーシングに対して旋回される。さらに、発音体リードに通り孔が形成され、引き棒を発音体リードに貫通させている。発音体リードに少なくとも１つのアーチ型の舌片が垂設され、舌片の曲率がブッシングの曲率に等しい。少なくとも１つの舌片でブッシング内面の対応場所に、突起部が設けられ、少なくとも１つの突起部が少なくとも１つの凹み溝に収容されている。突起部が発音体リードの旋回動作によって、少なくとも１つの突起リブを超える瞬間に、舌片がクリック音を出して、この音声でもって、使用者に水温調節状態を知らせる。
【０００７】
このような独特な構成により、本考案は先行技術に対して、水温が所定の温度に調節されると、戻された舌片がクリック音を出して、使用者に水温調節状態を知らせる実用性と技術的利点ならびにより良い経済効果が達成される。
【図面の簡単な説明】
【０００８】
【図１】本考案の立体外観図である。
【図２】本考案の発音体リードによる立体分解図である。
【図３】本考案の局所の立体分解図である。
【図４】本考案における発音体リードの組立の動作を示す図である。
【図５】冷水供給状態を示す概略図である。
【図６】突起リブが舌片を押す状態を示す概略図である。
【図７】突起リブが舌片を押す状態を示す概略図である。
【図８】熱湯供給状態を示す概略図である。
【考案を実施するための形態】
【０００９】
図１ないし３で、本考案の聴覚表示機能を備えた制水弁の好ましい実施形態を参照する。ただし、これらの実施形態は説明の目的に過ぎず、請求範囲はこれらの構造に拘束されないものとする。聴覚表示機能を備えた制水弁は、ベース部１０と、ベース部１０上に取り付けられたセラミックバルブ２０と、セラミックバルブ２０に取り付けられた操作機構３０と、ベース部１０に取り付けられ、セラミックバルブ２０と操作機構３０を覆うケーシング４０と、操作機構３０に係着され、ケーシング４０の外部に装着する発音体リード５０と、を含む。セラミックバルブ２０の操作機構３０の旋回操作で、給水温度を調節するとき、発音体リード５０が同期して、ケーシング４０に対して旋回し、かつ、ケーシング４０と互いに作用して、あらかじめ設定された給水状態に達すると、音声を出して使用者に知らせる目的を達成する。
【００１０】
セラミックバルブ２０はベース部１０に設けた１組の固定弁板２１と、固定弁板２１に摺接する可動弁板２２とを含む。そのうち、固定弁板２１がベース部１０に対して旋回することは出来ないが、制水弁の給水流路（図示されない）を開閉操作したとき、可動弁板２２が固定弁板２１に対して直線に滑り移動される。給水を調節するとき、可動弁板２２が固定弁板２１に対して旋回される。
【００１１】
操作機構３０は、ケーシング４０に旋回自在に設けられた台座３１と、台座３１に枢設された引き棒３２と、を含む。そのうち、引き棒３２の自由端よりケーシング４０が延設され、使用者が操作機構３０を介して、可動弁板２２が固定弁板２１における位置の制御に利便を提供する。台座３１と、可動弁板２２の間に連動駒２３が設けられ、連動駒２３はそれぞれ台座３１と、可動弁板２２に係着されている。
【００１２】
ケーシング４０は中空状構造体を形成していて、かつ、ベース部１０の反対側の一端は軸方向の同心位置にブッシング４１が設けられている。ブッシング４１の直径は、ケーシング４０の直径より小さい。ブッシング４１の外壁に、少なくとも１つの凹み溝４２が形成されていて、かつ、少なくとも１つの凹み溝４２の底面はその中心線に沿って、少なくとも１つの突起リブ４３が設けられている。そのうち、少なくとも１つの突起リブ４３がケーシング４０に対して、縦方向に設けられている。ブッシング４１上部の外縁に輪状の誘導斜面４４を形成していて、かつ、誘導斜面４４に少なくとも１つの誘導溝４５が形成されている。そのうち、誘導溝４５が少なくとも１つの凹み溝４２に対応して設けられている。
【００１３】
発音体リード５０は金属プレートから仕上げられ、発音体リード５０は台座３１に係着されていて、かつ、台座３１と同期して、ケーシング４０に対して旋回することができる。さらに、発音体リード５０に通り孔５１が形成され、引き棒３２が発音体リード５０に貫通されている。発音体リード５０に少なくとも１つのアーチ型の舌片５２が設けられ、舌片５２の曲率と、ブッシング４１の曲率が等しい。少なくとも１つの舌片５２はブッシング４１の内面に対応して、突起部５３が設けられ、少なくとも１つの突起部５３が少なくとも１つの凹み溝４２に収容されている。本考案の一つの好ましい実施形態において、少なくとも１つの突起部５３の自由端からケーシング４０の軸線までの径方向距離が少なくとも１つの凹み溝４２の底面からケーシング４０軸線までの径方向距離より長い。かつ、少なくとも１つの突起部５３の自由端からケーシング４０の軸線までの径方向距離は、ブッシング４１の半径より小さい。
【００１４】
本考案の一つの好ましい実施形態において、少なくとも１つの凹み溝４２の数は２つが実施されている。かつ、２つの凹み溝４２がブッシング４１の同じ直径の両端に位置しており、各凹み溝４２に含まれた突起リブ４３の数は１つである。そのうち、突起リブ４３は、それぞれに対応の凹み溝４２の第１部分４２１と、第２部分４２２を均等に分けている。これに対して、少なくとも１つの舌片５２の数は２つであって、それぞれ発音体リード５０の同じ直径の両端に位置しており、かつ、それぞれ突起部５３が対応の１つの凹み溝４２に収容される。
【００１５】
引き続き、図２、３、４を参照する。発音体リード５０をブッシング４１に取り付けるときは、まず、少なくとも１つの舌片５２の突起部５３を縦方向の誘導溝４５に対応させ、舌片５２がブッシング４１の縁部に当接して、かつ、突起部５３の縁部が誘導溝４５の底面に当接したとき、ブッシング４１によって、少なくとも１つの舌片５２を外部へ次第に広げるので、突起部５３が誘導斜面４４を超える瞬間に少なくとも１つの凹み溝４２に対応したとき、舌片５２自らの弾性戻り力により、少なくとも１つの突起部５３を少なくとも１つの凹み溝４２に収容させて、発音体リード５０を取り付ける目的が達成される。
【００１６】
前述した構造構成に基づき、本考案を使用するときの動作態様について、次の通り説明する。本考案の一つの好ましい実施形態において、少なくとも１つの凹み溝４２の第１部分４２１と、第２部分４２２がそれぞれセラミックバルブ２０の冷水ルートと、熱湯ルートに対応している。図５を参照する。少なくとも１つの突起部５３を少なくとも１つの凹み溝４２の第１部分４２１に収容して、第１部分４２１の外端に固定させる。セラミックバルブ２０はこのとき、冷水供給状態である。引き続き、図６，７を参照する。給水温度を調節するために制水弁を調節する際、台座３１が引き棒３２の操作によって、図６の矢印に示す方向に沿って、ケーシング４０とブッシング４１に対して旋回される。そして、少なくとも１つの突起部５３が少なくとも１つの突起リブ４３を超える前に、少なくとも１つの突起リブ４３が少なくとも１つの突起部５３を介して、舌片５２を外端に押し込む。少なくとも１つの舌片５２の少なくとも１つの突起部５３が少なくとも１つの突起リブ４３を超えて、第２部分４２２に入る瞬間は内側に戻るので、セラミックバルブ２０にこれから熱湯ルートに入り、水温が次第に高くなるのでやけどに注意することをクリック音を出して、使用者に知らせる。引き続き、図８に示すように、少なくとも１つの突起部５３を少なくとも１つの凹み溝４２の第２部分４２２に収容し、第２部分４２２の外端に固定される。セラミックバルブ２０はこのとき、熱湯供給状態である。さらに、セラミックバルブ２０を熱湯ルートから冷水ルートに切り替わるとき、逆方向に操作すれば良い。少なくとも１つの舌片５２、少なくとも１つの突起部５３と、少なくとも１つの突起リブ４３の働き及び音声を出す方式は、前述した冷水ルートから熱湯ルートに切り替わるときと同じである。
【符号の説明】
【００１７】
１０  ベース部
２０  セラミックバルブ
２１  固定弁板
２２  可動弁板
２３  連動駒
３０  操作機構
３１  台座
３２  引き棒
４０  ケーシング
４１  ブッシング
４２  凹み溝
４２１  第１部分
４２２  第２部分
４３  突起リブ
４４  誘導斜面
４５  誘導溝
５０  発音体リード
５１  通り孔
５２  舌片
５３  突起部
【図１】
0003216595.tif 000003
【図２】
0003216595.tif 000004
【図３】
0003216595.tif 000005
【図４】
0003216595.tif 000006
【図５】
0003216595.tif 000007
【図６】
0003216595.tif 000008
【図７】
0003216595.tif 000009
【図８】
0003216595.tif 000010